(57)【要約】  制御装置は、第１移動通信網において割り当てられた第１識別情報を記憶する移動通信端末が、第２移動通信網を利用可能な地域において、当該第２移動通信網を介して前記第１移動通信網を利用する場合に、当該移動通信端末が当該第２移動通信網において自端末を識別させるための識別情報を、前記第１識別情報から、当該第２移動通信網において割り当てられた第２識別情報に変更可能であるか否か判定する判定手段と、前記識別情報の変更が可能であると判定された場合に、前記第２移動通信網に接続されて前記移動通信端末に前記識別情報の変更を要求する要求装置に対して、前記識別情報の変更を行う旨を通知する通知手段と、を有する。
2014208612.tif 000002
【特許請求の範囲】
【請求項１】
第１移動通信網において割り当てられた第１識別情報を記憶する移動通信端末が、第２移動通信網を利用可能な地域において、当該第２移動通信網を介して前記第１移動通信網を利用する場合に、当該移動通信端末が当該第２移動通信網において自端末を識別させるための識別情報を、前記第１識別情報から、当該第２移動通信網において割り当てられた第２識別情報への変更が可能であるか否か判定する判定手段と、
前記識別情報の変更が可能であると判定された場合に、前記第２移動通信網に接続されて前記移動通信端末に前記識別情報の変更を要求する要求装置に対して、前記識別情報の変更を通知する通知手段と
を有する制御装置。
【請求項２】
前記識別情報の変更が可能であるか否かを管理装置に照会する照会手段を有し、
前記判定手段は、前記照会の結果に基づいて、前記識別情報の変更が可能であるか否かを判定する
ことを特徴とする請求項１に記載の制御装置。
【請求項３】
前記移動通信端末との間で行われた通信に基づいて、当該移動通信端末が利用しているアプリケーション・プログラムを特定する特定手段を有し、
前記管理装置は、アプリケーション・プログラムごとに、前記識別情報の変更が可能であるか否かを示す情報を関連付けて管理し、
前記照会手段は、前記特定手段が特定した前記アプリケーション・プログラムに関連付けられた前記情報を前記管理装置に照会する
ことを特徴とする請求項２に記載の制御装置。
【請求項４】
前記移動通信端末は、前記要求装置から前記識別情報の変更の要求を受信すると、当該識別情報を前記第１識別情報から前記第２識別情報へ変更する
ことを特徴とする請求項１から３のいずれか１項に記載の制御装置。
【請求項５】
移動通信網において割り当てられた識別情報を用いて当該移動通信網を利用する移動通信端末を制御する制御装置と、
前記移動通信網に接続された装置であって、前記制御装置により前記識別情報の変更を行う旨が通知された場合に、前記移動通信端末に当該変更を要求する要求装置と
を有し、
前記制御装置は、
第１移動通信網において割り当てられた第１識別情報を記憶する移動通信端末が、第２移動通信網を利用可能な地域において、当該第２移動通信網を介して前記第１移動通信網を利用する場合に、当該移動通信端末が当該第２移動通信網において自端末を識別させるための識別情報を、前記第１識別情報から、当該第２移動通信網において割り当てられた第２識別情報への変更が可能であるか否か判定する判定手段と、
前記識別情報の変更が可能であると判定された場合に、前記第２移動通信網に接続された前記要求装置に対して、前記識別情報の変更を行う旨を通知する通知手段とを有する
ことを特徴とする通信システム。
【請求項６】
前記制御装置から前記識別情報の変更が可能であるか否かについての照会を受けた時刻、当該時刻に前記移動通信端末が所在した場所、または、当該移動通信端末が前記識別情報を前記第１識別情報から前記第２識別情報へ変更した場合の料金、若しくは機能の変化が、予め決められた条件を満たしているとき、前記識別情報を前記第１識別情報から前記第２識別情報へ変更可能であると応答する管理装置を有し、
前記判定手段は、前記管理装置から取得した応答に基づいて、前記識別情報の変更が可能であるか否かを判定する
ことを特徴とする請求項５に記載の通信システム。
【請求項７】
第１移動通信網において割り当てられた第１識別情報を記憶する移動通信端末が、第２移動通信網を利用可能な地域において、当該第２移動通信網を介して前記第１移動通信網を利用する場合に、当該移動通信端末が当該第２移動通信網において自端末を識別させるための識別情報を、前記第１識別情報から、当該第２移動通信網において割り当てられた第２識別情報への変更が可能であるか否か判定するステップと、
前記識別情報の変更が可能であると判定された場合に、前記第２移動通信網に接続されて前記移動通信端末に前記識別情報の変更を要求する要求装置に対して、前記識別情報の変更を通知するステップと
を有する制御方法。
【請求項８】
コンピュータに、
第１移動通信網において割り当てられた第１識別情報を記憶する移動通信端末が、第２移動通信網を利用可能な地域において、当該第２移動通信網を介して前記第１移動通信網を利用する場合に、当該移動通信端末が当該第２移動通信網において自端末を識別させるための識別情報を、前記第１識別情報から、当該第２移動通信網において割り当てられた第２識別情報に変更可能であるか否か判定するステップと、
前記識別情報の変更が可能であると判定された場合に、前記第２移動通信網に接続されて前記移動通信端末に前記識別情報の変更を要求する要求装置に対して、前記識別情報の変更を行う旨を通知するステップと
を実行させるためのプログラム。
【発明の詳細な説明】
【技術分野】
【０００１】
本発明は、移動通信網において割り当てられた識別情報を用いてその移動通信網を利用する移動通信端末を制御する技術に関するものである。
【背景技術】
【０００２】
携帯電話機などの移動通信端末には、ＳＩＭ（Subscriber Identity Module）と呼ばれるモジュールを装着することにより、音声通信やデータ通信を行うことが可能となるものがある。このＳＩＭには、通信事業者から移動通信端末のユーザ（利用者）に割り当てられている一意な識別番号であるＩＭＳＩ(International Mobile Subscriber Identity)が記憶されている。ＩＭＳＩは、ユーザの国を表すＭＣＣ（Mobile Country Code）と、このユーザが加入している通信事業者を表すＭＮＣ（Mobile Network Code）と、このユーザを識別するコードであるＭＳＩＮ（Mobile Station Identification Number）とを含む。ＩＭＳＩには、国や通信事業者に対応する情報が含まれているため、１つのＩＭＳＩにより利用可能な通信事業者は１つであり、１つのＩＭＳＩが対応する国は１つである。【０００３】
近年、欧州電気通信標準化機構（ＥＴＳＩ：European Telecommunications Standards Institute）において、移動通信網を介してＩＭＳＩを変更することができるＳＩＭの規格が検討されている。こういったＳＩＭをｅＳＩＭ（Embedded Subscriber Identity Module）という。ｅＳＩＭによってＩＭＳＩを変更することにより、移動通信端末はローミングに依らずに複数の通信事業者をそれぞれ直に利用することができる。【０００４】
複数の通信事業者が提供する通信サービスを受けることができるこのような移動通信端末は、現在位置に応じてＩＭＳＩを変更することでローミングにより発生する費用を減らすことができる。例えば、特許文献１には、中央ネットワーク・サーバから加入済み通信機器への加入者ネットワーク識別情報の自動的な提供の管理方法が記載されている。この管理方法によれば、中央ネットワーク・サーバは、加入済み機器の現在位置の変化に関する通知を受信し、その通知に基づき新たな加入者ネットワーク識別情報が提供されるかを決定して、提供することが決定されたときに、現在位置に基づいて選択した加入者ネットワーク識別情報を加入済み器機に送信する。その結果、携帯機器が、適切なＩＭＳＩを用いて動作し、選好されるネットワークに接続するため、携帯機器のユーザは、ローミング課金の回避や削減が可能となる。
【先行技術文献】
【特許文献】
【０００５】
【特許文献１】特表２０１３−５０５６５８号公報
【発明の概要】
【発明が解決しようとする課題】
【０００６】
ところで、ｅＳＩＭはＩＭＳＩを変更することができるが、同時に複数のＩＭＳＩを利用するものではないため、一般にＳＩＭに書き込まれたＩＭＳＩと、ｅＳＩＭに書き込まれたＩＭＳＩとは区別されない。つまり、ｅＳＩＭを利用可能な移動通信端末と、ｅＳＩＭを利用不可能な移動通信端末とは、通信サービスを提供するサーバなどの装置からは区別されない場合がある。そして、ｅＳＩＭを利用不可能な移動通信端末はＩＭＳＩを変更することができないので、その移動通信端末に対しＩＭＳＩの変更を要求することは無駄である。しかしながら、特許文献１に記載の技術では、顧客が新たな国に入国するとＩＭＳＩブローカが、加入済みユーザの記録をチェックし、もしＳＩＭがすでにその国に適切なＩＭＳＩを有していなければ、適切なＩＭＳＩの更新を無線で送ることで、加入者のＳＩＭを更新しようとする。つまり、特許文献１に記載された技術では、移動通信端末がｅＳＩＭを利用可能であることが前提であり、そのような移動通信端末と、ｅＳＩＭを利用不可能な移動通信端末とを共存させることは想定されていない。【０００７】
また、移動通信端末のユーザは、移動通信端末において実行するアプリケーション・プログラム（以下、「アプリ」という）ごとに、接続する移動通信網を変更したい場合がある。しかしながら、先行する特許文献１などに記載された技術は、これを実現することができなかった。【０００８】
本発明は、自端末を識別させるための識別情報を変更可能な移動通信端末に対して、変更を要求することを目的とする。
【課題を解決するための手段】
【０００９】
本発明に係る制御装置は、第１移動通信網において割り当てられた第１識別情報を記憶する移動通信端末が、第２移動通信網を利用可能な地域において、当該第２移動通信網を介して前記第１移動通信網を利用する場合に、当該移動通信端末が当該第２移動通信網において自端末を識別させるための識別情報を、前記第１識別情報から、当該第２移動通信網において割り当てられた第２識別情報への変更が可能であるか否か判定する判定手段と、前記識別情報の変更が可能であると判定された場合に、前記第２移動通信網に接続されて前記移動通信端末に前記識別情報の変更を要求する要求装置に対して、前記識別情報の変更を通知する通知手段とを有する。【００１０】
好ましくは、管理装置に、前記識別情報の変更が可能であるか否かを照会する照会手段を有し、前記判定手段は、前記照会の結果に基づいて、前記識別情報の変更が可能であるか否かを判定する。【００１１】
また、好ましくは、前記移動通信端末との間で行われた通信に基づいて、当該移動通信端末が利用しているアプリケーション・プログラムを特定する特定手段を有し、前記管理装置は、アプリケーション・プログラムごとに、前記識別情報の変更が可能であるか否かを示す情報を関連付けて管理し、前記照会手段は、前記特定手段が特定した前記アプリケーション・プログラムに関連付けられた前記情報を前記管理装置に照会する。【００１２】
また、好ましくは、前記移動通信端末は、前記要求装置から前記識別情報の変更の要求を受信すると、当該識別情報を前記第１識別情報から前記第２識別情報へ変更する。【００１３】
また、本発明に係る通信システムは、移動通信網において割り当てられた識別情報を用いて当該移動通信網を利用する移動通信端末を制御する制御装置と、前記移動通信網に接続された装置であって、前記制御装置により前記識別情報の変更を行う旨が通知された場合に、前記移動通信端末に当該変更を要求する要求装置とを有し、前記制御装置は、第１移動通信網において割り当てられた第１識別情報を記憶する移動通信端末が、第２移動通信網を利用可能な地域において、当該第２移動通信網を介して前記第１移動通信網を利用する場合に、当該移動通信端末が当該第２移動通信網において自端末を識別させるための識別情報を、前記第１識別情報から、当該第２移動通信網において割り当てられた第２識別情報への変更が可能であるか否か判定する判定手段と、前記識別情報の変更が可能であると判定された場合に、前記第２移動通信網に接続された前記要求装置に対して、前記識別情報の変更を行う旨を通知する通知手段とを有する。【００１４】
好ましくは、前記制御装置から前記識別情報の変更が可能であるか否かについての照会を受けた時刻、当該時刻に前記移動通信端末が所在した場所、または、当該移動通信端末が前記識別情報を前記第１識別情報から前記第２識別情報へ変更した場合の料金、若しくは機能の変化が、予め決められた条件を満たしているとき、前記識別情報を前記第１識別情報から前記第２識別情報へ変更可能であると応答する管理装置を有し、前記判定手段は、前記管理装置から取得した応答に基づいて、前記識別情報の変更が可能であるか否かを判定する。【００１５】
また、本発明に係る制御方法は、第１移動通信網において割り当てられた第１識別情報を記憶する移動通信端末が、第２移動通信網を利用可能な地域において、当該第２移動通信網を介して前記第１移動通信網を利用する場合に、当該移動通信端末が当該第２移動通信網において自端末を識別させるための識別情報を、前記第１識別情報から、当該第２移動通信網において割り当てられた第２識別情報への変更が可能であるか否か判定するステップと、前記識別情報の変更が可能であると判定された場合に、前記第２移動通信網に接続されて前記移動通信端末に前記識別情報の変更を要求する要求装置に対して、前記識別情報の変更を通知するステップとを有する。【００１６】
また、本発明に係るプログラムは、コンピュータに、第１移動通信網において割り当てられた第１識別情報を記憶する移動通信端末が、第２移動通信網を利用可能な地域において、当該第２移動通信網を介して前記第１移動通信網を利用する場合に、当該移動通信端末が当該第２移動通信網において自端末を識別させるための識別情報を、前記第１識別情報から、当該第２移動通信網において割り当てられた第２識別情報に変更可能であるか否か判定するステップと、前記識別情報の変更が可能であると判定された場合に、前記第２移動通信網に接続されて前記移動通信端末に前記識別情報の変更を要求する要求装置に対して、前記識別情報の変更を行う旨を通知するステップとを実行させる。
【発明の効果】
【００１７】
本発明によれば、自端末を識別させるための識別情報を変更可能な移動通信端末に対して、変更を要求することができる。
【図面の簡単な説明】
【００１８】
【図１】通信システムの全体構成を示す図である。
【図２】加入者情報管理装置の構成の一例を示す図である。
【図３】プロファイルデータベースの一例を示す図である。
【図４】移動通信端末の構成の一例を示す図である。
【図５】プロファイル記憶領域の例を示す図である。
【図６】移動通信網の構成の一例を示す図である。
【図７】交換局の構成の一例を示す図である。
【図８】交換局の機能的構成を示す図である。
【図９】実施形態における通信システムの動作の流れを示すシーケンス図である。
【図１０】アプリデータベースの一例を示す図である。
【図１１】変形例における通信システムの動作の流れを示すシーケンス図である。
【符号の説明】
【００１９】
１（１ａ，１ｂ）…接続情報管理装置、２（２ａ，２ｂ）…移動通信網、２１…位置情報管理装置、２２…交換局（制御装置）、２２１…制御部、２２１１…照会部、２２１２…判定部、２２１３…通知部、２２２…記憶部、２２３…通信部、２３…基地局、３…移動通信端末、３１…制御部、３２…記憶部、３２１…プロファイル記憶領域、３３…通信部、３４…操作部、３５…表示部、４…通信回線、５…加入者情報管理装置（管理装置）、５１…制御部、５２…記憶部、５２１…プロファイルデータベース、５２１１…対応表、５２１２…プロファイル表、５２２…アプリデータベース、５２２１…ユーザＩＤリスト、５２２２…アプリ表、５３…通信部、９…通信システム。
【発明を実施するための形態】
【００２０】
１．実施形態
１−１．通信システムの構成
図１は、通信システム９の全体構成を示す図である。通信システム９は、接続情報管理装置１ａ，１ｂ（以下、特に区別の必要がない場合は、これらを総称して「接続情報管理装置１」という）と、移動通信網２ａ，２ｂ（以下、特に区別の必要がない場合は、これらを総称して「移動通信網２」という）と、移動通信端末３と、通信回線４と、加入者情報管理装置５とを有する。
【００２１】
移動通信網２ａ，２ｂは、互いに異なる通信事業者の移動通信網である。各移動通信網２は、移動通信端末３にそれぞれ通信サービスを提供する。なおこの例で移動通信網２は２つであるが、３つ以上であってもよい。
【００２２】
移動通信端末３は、移動通信網２から無線により通信サービスを受ける端末機器であり、例えば、スマートフォンなどの携帯電話機である。移動通信端末３は、ユーザに向けて情報を報知するため、液晶などの表示部を有している。移動通信端末３は、移動通信網２を利用する際に自端末を識別させるための識別情報としてＩＭＳＩを用いる。移動通信端末３は、ＩＭＳＩをＳＩＭまたはｅＳＩＭに記憶する。
【００２３】
通信回線４は、移動通信網２と加入者情報管理装置５とを接続する回線であり、例えばインターネットや地域ＩＰ網等である。
【００２４】
接続情報管理装置１ａ，１ｂは、それぞれ移動通信網２ａ，２ｂに対する移動通信端末３の接続の状態を示す情報（接続情報という）を管理する装置であり、対応する移動通信網２に接続し、この移動通信網２を介して接続情報を移動通信端末３へ送信する。接続情報管理装置１は、例えばＳＭＳ（short message service）などにより、接続情報などをいわゆる“プッシュ送信”する。接続情報管理装置１は、ｅＳＩＭ規格におけるＳＭ（subscription manager）に相当する構成であってもよい。なお、移動通信網２から所定の通知があった場合、接続情報管理装置１は、接続情報としてプロファイルの変更を要求する指示を移動通信端末３に向けて送信する。
【００２５】
加入者情報管理装置５は、加入者の契約に関する情報などを管理する装置である。加入者情報管理装置５は、一つの通信事業者の移動通信網２から通信サービスを享受するユーザのみならず、複数の通信事業者の各移動通信網２からそれぞれ通信サービスを享受するユーザについても、加入者として情報を管理する。
【００２６】
１−２．加入者情報管理装置の構成
図２は、加入者情報管理装置５の構成の一例を示す図である。加入者情報管理装置５は、制御部５１、記憶部５２、および通信部５３を有する。
【００２７】
制御部５１は、加入者情報管理装置５の各部の動作を制御する手段である。制御部５１は、ＣＰＵ（Central Processing Unit）などの演算処理装置や、ＲＯＭ（Read Only Memory）、ＲＡＭ（Random Access Memory）などの記憶装置を備え、これら記憶装置に記憶されたプログラムを実行する。
通信部５３は、通信回線４を介して移動通信端末３などと通信をするためのインターフェースである。
【００２８】
記憶部５２はハードディスク、フラッシュメモリなどの大容量の記憶手段であり、制御部５１に読み込まれるプログラムを記憶する。なお、記憶部５２は、いわゆるリムーバブルディスク、すなわち着脱可能な記録媒体を含んでもよい。また、記憶部５２は、プロファイルデータベース５２１（以下、図においてデータベースを「ＤＢ」と表記する）を記憶する。
【００２９】
図３は、プロファイルデータベース５２１の一例を示す図である。プロファイルデータベース５２１は、ユーザのユーザＩＤと、そのユーザが利用する移動通信端末３がｅＳＩＭを利用可能な移動通信端末であるか否かを示す情報（図３における「ｅＳＩＭ」欄）とを対応付ける対応表５２１１を有する。
【００３０】
例えば図３に示す対応表５２１１によれば、ユーザＩＤ「Ｕ１」のユーザが所有する移動通信端末３は、対応する「ｅＳＩＭ」欄の値が「YES」であるから、ｅＳＩＭを利用可能な移動通信端末である。一方、この対応表５２１１において、ユーザＩＤ「Ｕ３」のユーザが所有する移動通信端末３は、対応する「ｅＳＩＭ」欄の値が「NO」であるから、ｅＳＩＭを利用不可能な移動通信端末である。
【００３１】
また、プロファイルデータベース５２１は、ユーザＩＤごとに、そのユーザが加入している各通信事業者の移動通信網２において割り当てられたプロファイルをそれぞれ記憶したプロファイル表５２１２が対応付けられている。プロファイルとは、ＩＭＳＩや電話番号など、その通信事業者の通信サービスを享受するために必要な情報である。
【００３２】
例えば図３に示すプロファイルデータベース５２１の場合、ユーザＩＤ「Ｕ１」のユーザが所有する移動通信端末３に対応付けられたプロファイルは２つである。そして、これらのうち、「プロファイルＡ」は移動通信網２ａにおいて割り当てられたプロファイルであり、「プロファイルＢ」は移動通信網２ｂにおいて割り当てられたプロファイルである。一方、ユーザＩＤ「Ｕ３」のユーザが所有する移動通信端末３に対応付けられたプロファイルは、移動通信網２ａにおいて割り当てられた「プロファイルＣ」の１つである。ユーザＩＤ「Ｕ３」のユーザが所有する移動通信端末３は、ｅＳＩＭを利用不可能な移動通信端末であるから、ＳＩＭに書き込まれた「プロファイルＣ」を変更することはできない。
【００３３】
以上の構成を有する加入者情報管理装置５は、移動通信網２からの照会に応答する。具体的に、加入者情報管理装置５は、移動通信端末３が自端末を識別させるためのプロファイルを、移動通信端末３が在圏している移動通信網２において割り当てられたプロファイルへ変更可能であるか否かを照会されると、これが変更可能であるか否かを調べて応答する。
【００３４】
すなわち、加入者情報管理装置５の制御部５１は、移動通信端末３の識別情報であるＩＭＳＩとともに上記の照会を受け取ると、プロファイルデータベース５２１からこのＩＭＳＩを検索する。そして、制御部５１は、このＩＭＳＩが記述されたプロファイル表５２１２を特定すると、特定したそのプロファイル表５２１２に関連付けられたユーザＩＤを特定し、プロファイルデータベース５２１に含まれる対応表５２１１において、そのユーザＩＤに対応付けられた「ｅＳＩＭ」欄の値を特定する。制御部５１は、特定した「ｅＳＩＭ」欄の値が「YES」であれば、移動通信網２に向けて、上記の変更が可能であると応答し、「NO」であれば、上記の変更が可能ではないと応答する。
【００３５】
１−３．移動通信端末の構成
図４は、移動通信端末３の構成の一例を示す図である。移動通信端末３は、制御部３１、記憶部３２、通信部３３、操作部３４、および表示部３５を有する。
【００３６】
制御部３１は、移動通信端末３の各部の動作を制御する手段である。制御部３１は、ＣＰＵなどの演算処理装置や、ＲＯＭ、ＲＡＭなどの記憶装置を備え、これら記憶装置に記憶されたプログラムを実行する。
通信部３３は、移動通信網２を介して接続情報管理装置１および加入者情報管理装置５と通信をするためのインターフェースである。
【００３７】
操作部３４は各種の指示を入力するための座標取得部や操作ボタンなどを備えており、ユーザによる操作を受付けてその操作内容に応じた信号を制御部３１に供給する。
表示部３５は、液晶などを使用したディスプレイ装置であり、制御部３１からの指示に応じて画像を表示する。
【００３８】
記憶部３２はハードディスク、フラッシュメモリなどの大容量の記憶手段であり、制御部３１に読み込まれるプログラムを記憶する。なお、記憶部３２は、いわゆるリムーバブルディスク、すなわち着脱可能な記録媒体を含んでもよい。また記憶部３２は、移動通信端末３がｅＳＩＭを利用可能である場合、上述したｅＳＩＭを含んでおり、移動通信端末３がｅＳＩＭを利用不可能である場合、上述したＳＩＭを含んでいる。ｅＳＩＭまたはＳＩＭは、プロファイル記憶領域３２１として機能する。なお、ｅＳＩＭまたはＳＩＭは、移動通信端末３に物理的に装着されるモジュールであってもよいし、内蔵されているモジュールであってもよい。
【００３９】
移動通信端末３がｅＳＩＭを利用可能である場合、この移動通信端末３は、ｅＳＩＭに記憶するＩＭＳＩなどの識別情報を変更することにより、複数の移動通信網２にそれぞれ割り当てられた識別情報のいずれかを用いて通信を行う。ＩＭＳＩは、ユーザの操作に応じて変更されてもよいし、外部のサーバ装置から利用中の移動通信網２を介して送信される指示に応じて変更されてもよい。また、ｅＳＩＭは複数のＩＭＳＩを記憶しておき、これらＩＭＳＩの中の１つを選択してもよいし、利用するＩＭＳＩを記憶していない場合に、外部のサーバ装置からそのＩＭＳＩをダウンロード（取得）してもよい。
【００４０】
図５は、プロファイル記憶領域３２１の例を示す図である。移動通信端末３がｅＳＩＭを利用可能である場合、図５（ａ）に示すように、プロファイル記憶領域３２１には、プロファイルを識別するための識別情報であるプロファイルＩＤと、使用可否のフラグ情報と、プロファイルの内容とが対応付けられている。使用可否のフラグ情報とは、対応するプロファイルＩＤで識別されるプロファイルが使用可能か否かを表した情報である。使用可否のフラグ情報は、プロファイル記憶領域３２１に記憶される複数のプロファイルのうち、使用可能なプロファイルが１つのみとなるように記述される。図５（ａ）に示す例では、プロファイルＩＤが「プロファイルＡ」のプロファイルに、使用可能を表すフラグ情報として「YES」が記述されており、このプロファイルＡが使用可能となっていることが表されている。なお、プロファイルＩＤにはそのプロファイルに含まれるＩＭＳＩが用いられてもよい。
【００４１】
一方、移動通信端末３がｅＳＩＭを利用不可能である場合、図５（ｂ）に示すように、プロファイル記憶領域３２１には、プロファイルを識別するための識別情報であるプロファイルＩＤと、プロファイルの内容とが対応付けられている。この場合、移動通信端末３は、ＳＩＭによってプロファイルを記憶しており、ＳＩＭに記憶されたＩＭＳＩは、ユーザの操作や外部のサーバ装置の指示によって変更されないように構成されている。例えば図５（ｂ）に示す例において、プロファイル記憶領域３２１には、プロファイルＩＤが「プロファイルＣ」のプロファイルが記憶されている。
【００４２】
１−４．移動通信網の構成
図６は、移動通信網２の構成の一例を示す図である。移動通信網２は、位置情報管理装置２１と、交換局２２と、基地局２３とを有する。位置情報管理装置２１は、自身が所属する移動通信網２に接続する移動通信端末３のユーザを加入者として管理するサーバ装置である。位置情報管理装置２１は、例えばＨＬＲ（Home Location Register）やＶＬＲ（Visitor Location Register）などであり、移動通信端末３がどの通信圏内に存在しているかを表す在圏情報を管理する。
【００４３】
交換局２２は、移動通信網２に在圏する移動通信端末３の位置登録やアクセス管理などを行う装置であり、例えばＳＧＳＮ（Serving GPRS Support Node）である。交換局２２は、配下の基地局２３にアクセスした移動通信端末３から位置登録信号を受け取り、この位置登録信号を位置情報管理装置２１に引き渡す。位置情報管理装置２１は位置登録信号に対して認証処理などを行った後、その位置登録信号に基づいて移動通信端末３の位置登録を行う。なお、交換局２２は複数の基地局２３を配下に有していてもよい。
【００４４】
基地局２３は、移動通信端末３が直接アクセスする末端の通信装置である。基地局２３は、例えば自身に割り当てられた通信圏を識別するためのエリア信号を周期的に発信している。移動通信端末３はエリア信号を受信すると、このエリア信号と、自端末を識別させるための識別情報としてＩＭＳＩとを含んだ位置登録信号を送信する。基地局２３は、移動通信端末３から位置登録信号を受け取ると、これを交換局２２に送信する。
【００４５】
１−５．交換局の構成
図７は、交換局２２の構成の一例を示す図である。交換局２２は、制御部２２１、記憶部２２２、および通信部２２３を有する。
【００４６】
制御部２２１は、交換局２２の各部の動作を制御する手段である。制御部２２１は、ＣＰＵなどの演算処理装置や、ＲＯＭ、ＲＡＭなどの記憶装置を備え、これら記憶装置に記憶されたプログラムを実行する。
通信部２２３は、位置情報管理装置２１および基地局２３と通信をするためのインターフェースである。
【００４７】
記憶部２２２はハードディスク、フラッシュメモリなどの大容量の記憶手段であり、制御部２２１に読み込まれるプログラムを記憶する。なお、記憶部２２２は、いわゆるリムーバブルディスク、すなわち着脱可能な記録媒体を含んでもよい。
【００４８】
１−６．交換局の機能的構成
図８は、交換局２２の機能的構成を示す図である。交換局２２の制御部２２１は、照会部２２１１、判定部２２１２、および通知部２２１３として機能する。
【００４９】
移動通信端末３が自端末を識別するＩＭＳＩを含む信号であって、他の通信機器に向けた通信を要求する通信要求信号を発信すると、基地局２３はこの通信要求信号を受信して自局を配下に有する交換局２２にこの通信要求信号を送信する。交換局２２の制御部２２１は、通信部２２３を介して、この通信要求信号を受信すると、通信要求信号に含まれるＩＭＳＩが自局（交換局２２）の所属する移動通信網２において割り当てられたものであるか否か判断する。
【００５０】
通信要求信号に含まれるＩＭＳＩが自局の所属する移動通信網２において割り当てられたものであると判断する場合、制御部２２１は、通信要求信号に含まれる、その通信の相手先を示す識別情報を特定し、位置情報管理装置２１に問い合わせて通信経路を確立する。
【００５１】
一方、上記のＩＭＳＩが自局の所属する移動通信網２において割り当てられたものではないと判断する場合、制御部２２１は、照会部２２１１として機能する。この場合、照会部２２１１は、移動通信端末３が自端末を識別するためのプロファイルを、現在利用しているプロファイル（以下、第１識別情報という）から、上記の移動通信網２において割り当てられたＩＭＳＩが記述されたプロファイル（以下、第２識別情報という）へ変更可能であるか否かを、加入者情報管理装置５（管理装置）に照会する。
【００５２】
判定部２２１２は、照会部２２１１によって照会され、加入者情報管理装置５によって応答される情報に応じて、移動通信端末３がプロファイルを変更可能であるか否かを判定する。
【００５３】
通知部２２１３は、判定部２２１２において、移動通信端末３がプロファイルを変更可能であると判定された場合に、接続情報管理装置１に対して、プロファイルの変更を行う旨を、通信部２２３を介して通知する。
【００５４】
この通知を受け取った接続情報管理装置１は、この要求に応じてプロファイルの変更を行うための情報を移動通信端末３へプッシュ送信する。この情報を受信した移動通信端末３は、交換局２２によって通知された通りプロファイルの変更を行う。なお、接続情報管理装置１は、移動通信端末３が識別情報（プロファイル）を第１識別情報から第２識別情報へ変更可能であると判定された場合に、第２移動通信網に接続されて移動通信端末３に識別情報の変更を要求する要求装置として機能する。
これにより、交換局２２は、移動通信網２において割り当てられたプロファイルを用いてその移動通信網２を利用する移動通信端末３を制御する制御装置として機能する。
【００５５】
１−７．通信システムの動作
図９は、実施形態における通信システム９の動作の流れを示すシーケンス図である。移動通信端末３から移動通信網２に向けて通信要求信号が発信されると（ステップＳ１０１）、この通信要求信号を受信した移動通信網２の交換局２２は、通信要求信号に含まれるＩＭＳＩが自局の所属する移動通信網２において割り当てられたものか否かを判断する（ステップＳ１０２）。そして、上記のＩＭＳＩが自局の所属する移動通信網２において割り当てられたものではないと判断する場合に、移動通信端末３が自端末を識別するためのプロファイルを変更可能であるか否かを、加入者情報管理装置５に照会する（ステップＳ１０３）。
【００５６】
加入者情報管理装置５は、この照会を受け取って移動通信端末３がプロファイルを変更可能か否か調査する（ステップＳ１０４）。具体的に加入者情報管理装置５は、記憶部５２のプロファイルデータベース５２１から移動通信端末３のＩＭＳＩを検索し、そのＩＭＳＩが記述されたプロファイル表５２１２に関連付けられたユーザＩＤを特定して、対応表５２１１においてそのユーザＩＤに対応付けられた「ｅＳＩＭ」欄の値を特定する。加入者情報管理装置５は、移動通信網２に向けて、特定した「ｅＳＩＭ」欄の値が「YES」であれば、上記の変更が可能であると応答し、「NO」であれば、上記の変更が可能ではないと応答する（ステップＳ１０５）。
【００５７】
交換局２２は、加入者情報管理装置５からの応答を受け取って、移動通信端末３がプロファイルを変更可能であるか否か判定する（ステップＳ１０６）。そして、移動通信端末３がプロファイルを変更可能であると判定した場合、交換局２２は、接続情報管理装置１に対し、プロファイルの変更を行う旨の通知をする（ステップＳ１０７）。通知を受け取った接続情報管理装置１は、その通知に応じて、移動通信端末３にプロファイルの変更を行わせるための情報を作成する（ステップＳ１０８）。この情報は、変更する新たなプロファイルを含んでいてもよいし、移動通信端末３がプロファイル記憶領域３２１に既にこの新たなプロファイルを記憶しているのであれば、変更の指示であってもよい。接続情報管理装置１は、加入者情報管理装置５に新たなプロファイルを要求してもよい。
【００５８】
そして、接続情報管理装置１は、作成したこの情報を、移動通信網２を介して移動通信端末３へ送信することにより（ステップＳ１０９，Ｓ１１０）、プロファイルの変更を移動通信端末３に要求する。移動通信端末３は、交換局２２からプロファイルの変更を行うための情報を受信すると、この情報に沿って新たなプロファイルをプロファイル記憶領域３２１に書き込んだり、新たなプロファイルに対応付けられた使用可否のフラグ情報を変更したりすることにより、自端末を識別させるためのプロファイルの変更を行う（ステップＳ１１１）。
【００５９】
以上の構成により、通信システム９の交換局２２は、在圏中の移動通信網２を介して、圏外の移動通信網２を利用する移動通信端末３から通信要求信号を受け取った場合に、この移動通信端末３が、自端末を識別させるための識別情報を、在圏中の移動通信網２において割り当てられた識別情報に変更可能であるか否かを確かめる。そして、交換局２２は、移動通信端末３が上記の識別情報を変更可能である場合に限り、その識別情報の変更を行う旨の通知をするので、接続情報管理装置１は無駄な要求を抑えることができる。
【００６０】
２．変形例
以上が実施形態の説明であるが、この実施形態の内容は以下のように変形し得る。また、以下の変形例を組み合わせてもよい。
【００６１】
２−１．変形例１
上述した実施形態において、交換局２２の制御部２２１は、移動通信端末３が自端末を識別するためのプロファイルを、現在利用しているプロファイルから、上記の移動通信網２において割り当てられたプロファイルへ変更可能であるか否かを、加入者情報管理装置５に照会する照会部２２１１として機能するとともに、その応答に応じて判定する判定部２２１２として機能していたが、この制御部２２１は、照会部２２１１として機能しなくてもよい。例えば、移動通信端末３が自端末を識別させるための識別情報を在圏中の移動通信網２において割り当てられた識別情報に変更可能であるか否かを示した情報が、加入者情報管理装置５以外の装置に記憶されている場合、制御部２２１は、直接その情報を参照することにより判定部２２１２として機能する。
【００６２】
例えば、加入者情報管理装置５がプロファイルデータベース５２１の対応表５２１１の複製を、接続情報管理装置１や、位置情報管理装置２１、交換局２２などに定期的に配布する場合、交換局２２の制御部２２１は、直接、加入者情報管理装置５に照会しなくても、これらの配布された複製を参照することで、移動通信端末３が識別情報を変更可能であるか否か判定することが可能である。
【００６３】
２−２．変形例２
上述した実施形態において、加入者情報管理装置５が記憶部５２に記憶するプロファイルデータベース５２１は、ユーザのユーザＩＤと、そのユーザが利用する移動通信端末３がｅＳＩＭを利用可能な移動通信端末であるか否かを示す情報とを対応付ける対応表５２１１を含んでいたが、移動通信端末３が識別情報を変更可能であるか否かを示す情報は、この対応表５２１１に限られない。交換局２２の制御部２２１は、移動通信端末３がｅＳＩＭを利用可能であることに代えて、または加えて、他の条件を満たした場合に、その移動通信端末３が識別情報を変更可能であると判定してもよい。
【００６４】
例えば、ユーザは、移動通信端末３が識別情報を変更することができる時間帯や地域を設定し、加入者情報管理装置５の記憶部５２に記憶させてもよい。この場合、加入者情報管理装置５の制御部５１は、例えば、移動通信網２からの照会があったときの時刻やそのときの移動通信端末３が所在した場所を、時計やＧＰＳ（Global Positioning System）などによって特定し、上記した記憶部５２の記憶を参照して、その時刻または場所において、移動通信端末３が識別情報を変更することができるか否かを調査してもよい。
【００６５】
また、加入者情報管理装置５の制御部５１は、移動通信端末３が、現在利用しているプロファイル（第１識別情報）をそのまま利用し続けた場合の料金と、そのプロファイルを在圏中の移動通信網２において割り当てられたＩＭＳＩが記述されたプロファイル（第２識別情報）に変更した場合の料金とを比較して、移動通信端末３が識別情報を変更することができるか否かを調査してもよい。例えば、第１識別情報から第２識別情報へ変更した場合の料金の変化が、予め決められた条件を満たしているときに、加入者情報管理装置５の制御部５１は、移動通信網２からの上述した照会に対して、上記の変更が可能であると応答してもよい。この場合、予め決められた条件とは、例えば上述した料金の変化が所定金額以上の減少であるといった条件である。
【００６６】
また、加入者情報管理装置５の制御部５１は、上述した変更に伴う移動通信端末３の機能の変化に基づいて、その変更が可能か否かを調査してもよい。例えば、第１識別情報から第２識別情報へ変更した場合の機能の変化が、予め決められた条件を満たしているか否かに応じて、加入者情報管理装置５の制御部５１は、移動通信網２からの上述した照会に対して、上記の変更の可否を応答してもよい。
【００６７】
この場合、予め決められた条件は、移動通信端末３の機能の使用履歴によって決められてもよい。例えば、加入者情報管理装置５の記憶部５２は、移動通信端末３が第１識別情報を使用しているときにユーザが使用可能な機能と、第２識別情報を使用しているときにユーザが使用可能な機能とを、互いの対応関係とともにそれぞれ記憶している。また、記憶部５２は、移動通信端末３が使用した機能の履歴を記憶する。
【００６８】
加入者情報管理装置５の制御部５１は、移動通信網２の交換局２２から照会があったときに、記憶部５２に記憶された履歴を参照するとともに、上述した変更に伴う移動通信端末３の機能の変化を特定する。そして、移動通信端末３のｅＳＩＭが示す識別情報を第１識別情報から第２識別情報へ変更した場合に使用できなくなる機能を、ユーザが所定頻度よりも多く使用している場合、制御部５１は、上述した照会に対して、上記の変更が可能でないと応答してもよい。
【００６９】
すなわち、加入者情報管理装置５は、移動通信網２の交換局２２が情報を照会した時刻、その時刻に移動通信端末が所在した場所、または、移動通信端末３が識別情報を第１識別情報から第２識別情報へ変更した場合の料金、若しくは機能の変化が、予め決められた条件を満たしているとき、識別情報を第１識別情報から第２識別情報へ変更可能であると応答してもよい。
【００７０】
また、例えば、加入者情報管理装置５は、移動通信端末３で実行されるアプリごとにこの移動通信端末３がプロファイルを変更可能であるか否かを示す情報を管理してもよい。
【００７１】
図１０は、図２において破線で示すアプリデータベース５２２の一例を示す図である。この変形例において、加入者情報管理装置５の記憶部５２は、アプリデータベース５２２を記憶している。図１０に示す通り、アプリデータベース５２２は、ユーザＩＤリスト５２２１と、ユーザＩＤごとにそれぞれ関連付けられたアプリ表５２２２とを含む。各アプリ表５２２２は、それぞれ対応付けられたユーザＩＤで示されるユーザが移動通信端末３において実行するアプリの識別情報（以下、アプリＩＤという）と、そのアプリがその移動通信端末３で実行されたときに行うプロファイルの変更に関する条件（以下、変更条件という）とが対応付けて記述されている。
【００７２】
例えば、ユーザＩＤ「Ｕ１」のユーザが自身の所有する移動通信端末３において、アプリＩＤ「Ａ１」のアプリを実行させた場合、対応する変更条件は「なし」であるから、プロファイルの変更は行われない。一方、ユーザＩＤ「Ｕ１」のユーザが移動通信端末３において、アプリＩＤ「Ａ２」のアプリを実行させた場合、対応する変更条件は「プロファイルＢ」である。この場合、移動通信端末３は、プロファイル記憶領域３２１にプロファイルＢを新たなプロファイルを書き込んだり、プロファイルＢに対応付けられた使用可否のフラグ情報を「YES」に変更したりする。
【００７３】
また、上記の変更条件は、位置情報管理装置２１が管理する在圏情報に応じたプロファイルに変更されるように決められていてもよい。例えば図１０に示すように、ユーザＩＤ「Ｕ１」のユーザが移動通信端末３において、アプリＩＤ「Ａ４」のアプリを実行させた場合、対応する変更条件は「在圏プロファイル」である。この場合、移動通信端末３の制御部３１は、例えば位置情報管理装置２１から在圏情報を取得し、移動通信端末３が移動通信網２ａに在圏しているのであれば、この移動通信網２ａにおいて割り当てられたプロファイルＡに変更する。
【００７４】
この構成において、移動通信端末３が他の通信機器に向けた通信を要求する通信要求信号を発信すると、交換局２２の制御部２２１は、この通信要求信号を受信して、この通信要求信号に基づいて移動通信端末３において実行されたアプリのアプリＩＤを特定する。すなわち、制御部２２１は、移動通信端末３と通信する内容からこの移動通信端末が利用しているアプリを特定する、図８において破線で示した特定部２２１４として機能する。
【００７５】
そして、制御部２２１は、通信要求信号に含まれるＩＭＳＩが自局の所属する移動通信網２において割り当てられたものであるか否か判断し、このＩＭＳＩが自局の所属する移動通信網２において割り当てられたものではないと判断する場合、特定したアプリＩＤを加入者情報管理装置５に送信するとともに、移動通信端末３が自端末を識別するためのプロファイルを変更可能であるか否かを、加入者情報管理装置５（管理装置）に照会する。加入者情報管理装置５は、この照会を受け取って移動通信端末３がプロファイルを変更可能か否か調査する。
【００７６】
すなわち、加入者情報管理装置５は、記憶部５２のプロファイルデータベース５２１から移動通信端末３のＩＭＳＩを検索し、そのＩＭＳＩが記述されたプロファイル表５２１２に関連付けられたユーザＩＤを特定して、対応表５２１１においてそのユーザＩＤに対応付けられた「ｅＳＩＭ」欄の値を特定する。そして、特定した「ｅＳＩＭ」欄の値が「YES」であれば、加入者情報管理装置５は、記憶部５２のアプリデータベース５２２を参照して、上記のユーザＩＤおよび交換局２２から送信されたアプリＩＤの組み合わせに応じた変更条件を特定し、交換局２２に対し、この変更条件に示される変更が可能であると応答する。
【００７７】
この構成によれば、移動通信端末３において実行されるアプリごとに予めプロファイルの変更条件を定めておくことができる。例えば、通信プロトコルにＴＣＰ（Transmission Control Protocol）よりもＵＤＰ（User Datagram Protocol）を用いたときに、費用が安くなるように設定されている通信事業者があるとする。この場合、ＵＤＰを多用するアプリを実行するときには、上記の通信事業者が提供する移動通信網２において割り当てられたプロファイルに変更するように、変更条件を定めておくことで、ユーザは、通信費を節約することができる。つまり、ユーザは、変更条件を定めることにより、移動通信端末３で実行するアプリによって利用される通信プロトコルやサービスの種類などに適したプロファイルを利用することができる。
【００７８】
２−３．変形例３
上述した実施形態において、交換局２２は、移動通信端末３がプロファイルを変更可能であると判定した場合、接続情報管理装置１に対し、プロファイルの変更を行う旨の通知をしていたが、移動通信端末３においてユーザの操作を受付けてからこの通知をしてもよい。
【００７９】
図１１は、この変形例における通信システム９の動作の流れを示すシーケンス図である。図９と同じ符号を付したステップは、実施形態において説明したステップと同じであるため、説明を省略する。ステップＳ１０６において、移動通信端末３がプロファイルを変更可能であると判定した場合、交換局２２は、移動通信端末３に対し、その旨の通知をする（ステップＳ２０１）。通知を受け取った移動通信端末３は、プロファイルを変更可能である旨のメッセージを表示部３５により表示し（ステップＳ２０２）、操作部３４に対するユーザの操作を受付ける（ステップＳ２０３）。
【００８０】
操作部３４が受付けたユーザの操作がプロファイルの変更を指示するものである場合に、移動通信端末３の制御部３１は、記憶部３２のプロファイル記憶領域３２１を検索して、変更しようとするプロファイルが記憶部３２に記憶されているか否かを判断する（ステップＳ２０４）。
【００８１】
変更しようとするプロファイルが記憶部３２に記憶されていない場合、制御部３１は、交換局２２に向けてこのプロファイルを要求する（ステップＳ２０５）。交換局２２は、この要求を受付けると加入者情報管理装置５に通知し（ステップＳ２０６）、加入者情報管理装置５は、通知された要求により示されるプロファイルをプロファイルデータベース５２１から抽出する。そして、加入者情報管理装置５は、抽出したプロファイルを接続情報管理装置１に送信して、このプロファイルを移動通信端末３に向けてプッシュ送信するように依頼する（ステップＳ２０７）。この依頼を受け取った接続情報管理装置１は、移動通信端末３が、現在利用しているプロファイルを、加入者情報管理装置５により送信されたプロファイルに変更する旨の指示を作成する（ステップＳ２０８）。接続情報管理装置１は、作成したこの指示を、移動通信網２を介して移動通信端末３へ送信することにより（ステップＳ１０９，Ｓ１１０）、プロファイルの変更を移動通信端末３に要求する。
【００８２】
この構成によれば、ユーザの操作に応じてプロファイルの変更が行われるので、ユーザの希望しないプロファイルの変更を止めることができる。
【００８３】
２−４．変形例４
上述したように、本発明は交換局２２の発明として観念されるが、交換局２２の制御方法として観念することも可能である。
【００８４】
２−５．変形例５
交換局２２の制御部２２１によって実行されるプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットなどのネットワーク経由でダウンロードさせることも可能である。なお、上記の制御部２２１によって例示した制御手段としてはＣＰＵ以外にも種々の装置が適用される場合があり、例えば、専用のプロセッサなどが用いられる。
【００８５】
２−６．変形例６
上述した実施形態において、移動通信端末３は、スマートフォンなどの携帯電話機であったが、これに限られない。例えば移動通信端末３は、タブレット端末、スレートＰＣ（Personal Computer）、ＰＤＡ（Personal Digital Assistant）、携帯音楽再生機、携帯動画再生機、ゲーム機、電子書籍の閲覧装置、ナビゲーション装置などであってもよい。
【図１】
2014208612.tif 000003
【図２】
2014208612.tif 000004
【図３】
2014208612.tif 000005
【図４】
2014208612.tif 000006
【図５】
2014208612.tif 000007
【図６】
2014208612.tif 000008
【図７】
2014208612.tif 000009
【図８】
2014208612.tif 000010
【図９】
2014208612.tif 000011
【図１０】
2014208612.tif 000012
【図１１】
2014208612.tif 000013
【国際調査報告】
2014208612.tif 000014
2014208612.tif 000015